(57)【特許請求の範囲】
【請求項１】
縦方向と横方向と、前ウエスト域と、後ウエスト域と、前記前後ウエスト域間に位置するクロッチ域とを有する吸液性のシャーシと、前記前ウエスト域の第１側縁部と前記後ウエスト域の第２側縁部とを取り外し可能に取り付けて、ウエスト開口及び一対のレッグ開口を画成するファスニング手段とを含む着用物品において、
前記前ウエスト域の前記第１側縁部と前記後ウエスト域の前記第２側縁部とは、それぞれ前記縦方向へ連続して直状に延びており、
前記前後ウエスト域には、ウエスト周り方向へ延びる複数条のウエスト弾性要素が配置されており、
前記ファスニング手段が、メカニカルファスナからなり、それぞれフック要素と前記フック要素に係合可能なループ要素とから形成されている一対の第１及び第２ファスニング要素から構成されており、
前記一対の第１ファスニング要素は、前記前ウエスト域の第１側縁部から横方向外方に延出する支持部材の外面に取り付けられており、前記一対の第２ファスニング要素は前記後ウエスト域の第２側縁部の内面において前記縦方向のほぼ全域に延びており、
前記前ウエスト域において、前記支持部材は前記ウエスト弾性要素と重ならないように取り付けられており、
前記第１ファスニング要素は、前記縦方向において離間対向する上方部と下方部とからなり、
前記上方部と前記下方部との間に位置する離間部の前記縦方向の寸法は、前記上下方部の前記縦方向の寸法よりも小さく形成されており、
前記ファスニング手段は、一方側の前記第１ファスニング要素とそれに対応する前記第２ファスニング要素とを係合した後、前記前後ウエスト域を他方側へ向かって引っ張り、少なくとも前記後ウエスト域を伸長させた状態で、他方側の前記第１ファスニング要素とそれに対応する前記第２ファスニング要素とを係合する場合において、前記一方側および前記他方側の第１及び第２ファスニング要素による係合が外れることのない剪断係合強度を有するものであって、
前記第１ファスニング要素と前記第２ファスニング要素との係合による剪断応力が５Ｎ／ｃｍ２以上であり、前記剪断係合強度が６０Ｎ以上であることを特徴とする前記着用物品。
【請求項２】
前記ウエスト弾性要素の伸長倍率が２．０〜４．０倍である請求項１に記載の着用物品。
【発明の詳細な説明】
【技術分野】
【０００１】
本発明は、使い捨てのパンツ型おむつやトレーニングパンツ等のパンツ型の着用物品、特に、前後ウエスト域の側縁部を係脱可能とする構成を有する着用物品に関する。
【背景技術】
【０００２】
従来、ウエスト域の側縁部に係脱可能なファスニング手段を備える使い捨てのおむつは公知である。例えば、特許文献１に開示されたおむつは、前後ウエスト域および股下域を含む吸液性のシャーシと、前後ウエスト域の側縁部に取り付けられたフック要素とループ要素とからなるファスニング手段とを含む。
【特許文献１】特開２００８−１２１１５号公報
【発明の開示】
【発明が解決しようとする課題】
【０００３】
特許文献１に開示されたおむつ１１０では、前ウエスト域１１３の側縁部と後ウエスト域の側縁部とをファスニング手段で連結することによって、おむつをパンツ型の形態にすることができるので、着用者が立った状態であっても、ズボン等の衣服１３３を脱ぐことなく、スムーズにおむつを着用することができる（図４参照）。
【０００４】
しかし、着用者が直立して足元にズボン等の衣服１３３を下ろした状態では、姿勢が不安定となり、特に、着用者が高齢者の場合には、バランスを崩してよろけたり、転倒してしまうおそれがある。そこで、着用者が高齢者の場合には、椅子などに座った状態で補助者がおむつの着用作業をすることがある。このとき、着用者がズボン等の衣服１３３を足もとに下ろしたまま椅子等に座っている場合には、衣服１３３が両足の間に挟まれて両足を揃えることができないので、自然と両大腿部どうしが離間し、両大腿部に亘るその周りの幅寸法が着用者の胴周りの幅寸法よりも大きくなる。このような状態において、おむつ１１０を両大腿部に通してパンツ型の形態に組み立てるときには、おむつ１１０が想定していた幅寸法（ウエスト周りの幅寸法）よりも横方向へ引っ張られるので、着用操作中にその係合が外れてしまうおそれがある。
【０００５】
そこで、本発明では、着用者が椅子に座った状態であっても、スムーズに着用操作をすることのできる着用物品を提供することを課題としている。
【課題を解決するための手段】
【０００６】
前記課題を解決するために、本発明が対象とするのは、縦方向と横方向と、前ウエスト域と、後ウエスト域と、前記前後ウエスト域間に位置するクロッチ域とを有する吸液性のシャーシと、前記前ウエスト域の第１側縁部と前記後ウエスト域の第２側縁部とを取り外し可能に取り付けて、ウエスト開口及び一対のレッグ開口を画成するファスニング手段とを含む着用物品、である。
【０００７】
本発明の特徴とするところは、前記前ウエスト域の前記第１側縁部と前記後ウエスト域の前記第２側縁部とは、それぞれ前記縦方向へ連続して直状に延びており、前記前後ウエスト域には、ウエスト周り方向へ延びる複数条のウエスト弾性要素が配置されており、前記ファスニング手段が、メカニカルファスナからなり、それぞれフック要素と前記フック要素に係合可能なループ要素とから形成されている一対の第１及び第２ファスニング要素から構成されており、前記一対の第１ファスニング要素は、前記前ウエスト域の第１側縁部から横方向外方に延出する支持部材の外面に取り付けられており、前記一対の第２ファスニング要素は前記後ウエスト域の第２側縁部の内面において前記縦方向のほぼ全域に延びており、前記前ウエスト域において、前記支持部材は前記ウエスト弾性要素と重ならないように取り付けられており、前記第１ファスニング要素は、前記縦方向において離間対向する上方部と下方部とからなり、前記上方部と前記下方部との間に位置する離間部の前記縦方向の寸法は、前記上下方部の前記縦方向の寸法よりも小さく形成されており、前記ファスニング手段は、一方側の前記第１ファスニング要素とそれに対応する前記第２ファスニング要素とを係合した後、前記前後ウエスト域を他方側へ向かって引っ張り、少なくとも前記後ウエスト域を伸長させた状態で、他方側の前記第１ファスニング要素とそれに対応する前記第２ファスニング要素とを係合する場合において、前記一方側および前記他方側の第１及び第２ファスニング要素による係合が外れることのない剪断係合強度を有するものであって、前記第１ファスニング要素と前記第２ファスニング要素との係合による剪断応力が５Ｎ／ｃｍ２以上であり、前記剪断係合強度が６０Ｎ以上である。
【０００８】
本発明は、前記特徴とする構成のほかに、以下の好ましい実施の形態を含む。
（１）前記ウエスト弾性要素の伸長倍率が２．０〜４．０倍である。
【発明の効果】
【０００９】
本発明では、おむつの両側縁部に設けられたファスニング手段が所要の剪断係合強度を有するので、着用者が椅子等に座った状態でおむつを装着する際に、前後ウエスト域の一方側の側縁部をファスニング手段で連結し、少なくとも後ウエスト域を他方側へ向かって引っ張って伸長させた状態のまま他方側のファスニング手段を連結した場合であっても、一方側及び他方側のファスニング手段の係合が外れるおそれはない。
【発明を実施するための最良の形態】
【００１０】
図１〜３に示された形態は本発明の実施形態の一つであり、一例として大人用の使い捨ておむつ１０を用いて説明する。図１は、おむつ１０のファスニング手段１２ａの係合を外した状態を示す斜視図、図２は、ファスニング手段１２ａ，１２ｂの係合を外し、おむつ１０を横方向Ｘと縦方向Ｙとに伸展したときの部分破断展開平面図である。
【００１１】
図１および２に示すように、おむつ１０は、吸液性のシャーシ１１と、ファスニング手段１２ａ，１２ｂと、前ウエスト域１３と、後ウエスト域１４と、前後ウエスト域１３，１４に位置するクロッチ域１５とを含む。
【００１２】
シャーシ１１は、透液性の繊維不織布からなる内面シート１８と、疎水性繊維不織布、透湿性プラスチックフィルム、それらのラミネート等からなる外面シート１９と、内外面シート１８，１９の間に介在された吸液性のコア２０とから形成されており、クロッチ域１５において内側へ凹曲して幅狭くなっていて全体として砂時計型を有している。
【００１３】
内外面シート１８，１９の間には、前後ウエスト域１３，１４において横方向Ｘへ延びるストランド状の弾性要素がホットメルト接着剤（図示せず）を介して伸縮可能に取り付けられている。具体的には、ウエスト開口縁部１６ａにおいて横方向Ｘへ延びる複数条の第１ウエスト弾性要素２２と、レッグ開口縁部１７ａに沿って延びる複数条のレッグ弾性要素２３と、ウエスト開口縁部１６ａからレッグ開口縁部１７ａまでの間においてウエスト周り方向へ延びる複数条の第２ウエスト弾性要素２４が配置されている。
【００１４】
これらの弾性要素２２，２３，２４は、天然または合成のゴムから作られており、図示例では、ストランド状であるが、テープ状のものであってもよい。また、前後ウエスト域１３，１４にこれら弾性要素２２，２３，２４を配置せず、内外面シート自体を弾性シートで形成してもよい。
【００１５】
コア２０は、フラッフパルプと超吸収性ポリマー粒子（ＳＡＰ）との混合等から形成されており、その型崩れやＳＡＰの脱落を防止するために、液拡散性の保形シート（図示せず）で被包されていることが好ましい。
【００１６】
前ウエスト域１３と後ウエスト域１４とは、おむつ１０の縦軸Ｐに関して対称であり、かつ、縦方向Ｙに延びる、第１側縁部１３ａ，１３ｂと第２側縁部１４ａ，１４ｂとをそれぞれ有する。これら第１側縁部１３ａ，１３ｂと第２側縁部１４ａ，１４ｂとは、おむつ１０の着用時において、ファスニング手段１２ａ，１２ｂを介して連結されており、ウエスト開口１６と一対のレッグ開口１７が画成されている（図１参照）。
【００１７】
ファスニング手段１２ａ，１２ｂは、一対の第１ファスニング要素２５，２６と、第１ファスニング要素２５，２６に脱離可能に係合する一対の第２ファスニング要素２７，２８とから構成されている。第１ファスニング要素２５，２６は、第１側縁部１３ａ，１３ｂから横方向Ｘ外側に延出する支持部材（耳部材）２９ａ，２９ｂの外面に、第２ファスニング要素２７，２８は第２側縁部１４ａ，１４ｂの内面に公知の接着剤、サーマル又はウルトラソニックボンドによりそれぞれ取り付けられている。
【００１８】
支持部材２９ａ，２９ｂは、不織布、織布、網布等の繊維シートから作られ、第１側縁部１３ａ，１３ｂの縦寸法とほぼ同様の長さを有しており、第１側縁部１３ａ，１３ｂの内面に公知の接着剤、サーマル又はウルトラソニックボンドによって取り付けられ、第１側縁部１３ａ，１３ｂから横方向Ｘ外側へ延出している。支持部材２９ａ，２９ｂは弾性要素２２，２３，２４と重ならないように取り付けられているので、それら弾性要素２２，２３，２４の収縮による影響を受けることがなく、そのファスニング機能が損なわれることはない。
【００１９】
第１ファスニング要素２５，２６は、支持部材２９ａ，２９ｂの外面に公知の接着剤、サーマル又はウルトラソニックボンドによって取り付けられており、縦方向Ｙにおいて、離間部３０を介して離間対向する上方部２５ａ，２６ａと下方部２５ｂ，２６ｂとから形成されている。このように、上方部２５ａ，２６ａと下方部２５ｂ，２６ｂとの間には、離間部３０が形成されていることにより、おむつ１０を着用する際に、まず、上方部２５ａ，２６ａを第２ファスニング要素２７，２８に係合させて位置決めをして、次に、下方部２５ｂ，２６ｂを第２ファスニング要素２７，２８に係合させることができるので、大人用のおむつのような幼児用のおむつに比べてファスニング手段１２ａ，１２ｂが比較的に大きなものであっても、係合操作が容易となる。また、おむつ１０を着用者の身体から取り外す際にも、重ね合わされた第１ファスニング要素２５，２６と第２ファスニング要素２７，２８との間において、離間部３０によって形成された隙間に指を差し入れて、離間部３０に指を押し当てて引っ張り、第１ファスニング要素２５，２６と第２ファスニング要素２７，２８とを引き離すことによって、比較的容易にこれらの係合を外すことができる。ただし、第１ファスニング要素２５，２６は、上下に分離したものではなく、一連に縦方向Ｙへ延びていてもよい。
【００２０】
第１ファスニング要素２５，２６の大きさは、おむつのサイズにもよるが、通常の大人用のおむつ１０であれば、ファスニング手段１２ａ，１２ｂが所要の剪断係合強度を有するために、それぞれ幅１．０〜１．７ｃｍ，縦６．０〜２０．０ｃｍであることが好ましい。ただし、この寸法に限らず、おむつの大きさ等に応じて適宜変更することもできる。ここで、剪断係合強度とは、おむつ１０の着用時において、ファスニング手段１２ａ，１２ｂの一方を係合した状態のまま前後ウエスト域１３，１４を他方の側へ引っ張って他方のファスニング手段１２ａ，１２ｂを係合する際に、一方側および他方側のファスニング手段の係合面に作用する剪断力に対する強さをいう。
【００２１】
第２ファスニング要素２７，２８は、第２側縁部１４ａ，１４ｂの縦方向Ｙのほぼ全域に延びており、第２側縁部１４ａ，１４ｂの内面に公知の接着剤、サーマル又はウルトラソニックボンドによって取り付けられている。このように、第２ファスニング要素２７が第２側縁部１４ａ，１４ｂの縦方向Ｙのほぼ全域に延びているので、第１ファスニング要素２６の係合位置が上下のいずれかにずれたとしても、十分な係合面積を確保することができる。
【００２２】
ファスニング手段１２ａ,１２ｂは、メカニカルファスナからなるものであって、メカニカルファスナからなる場合には、第１ファスニング要素２５，２６と第２ファスニング要素２７，２８とをそれぞれメカニカルファスナの雄ファスナとしてのフック要素と、フック要素と係脱可能なメカニカルファスナの雌ファスナとしてのループ要素とで形成することができる。本実施形態では、第１ファスニング要素２５，２６がフック要素であり、第２ファスニング要素２７，２８がループ要素であるが、第１ファスニング要素２５，２６がループ要素、第２ファスニング要素２７，２８がフック要素であってもよい。また、ファスニング手段１２ａ,１２ｂが後記の剪断係合強度を有する限りにおいては、第２ファスニング要素２７，２８を設けず、フック要素からなる第１ファスニング要素２５，２６を内面シート１８を形成する繊維不織布等の繊維シートと係合するように第２側縁部１４ａ，１４ｂの内面に直接取り付けてもよい。
【００２３】
図３（ａ）（ｂ）は、着用者が椅子等に座っている状態で着用補助者がおむつ１０を着用させるときの手順を示す図、図４は、着用者が直立した状態で従来のおむつ１１０を着用させるときの状態を示す図である。なお、ここでいう左右とは、着用者補助者を対象としたものである。
【００２４】
着用者が座位姿勢にあるときの着用補助者によるおむつ１０の着用操作の手順を述べると、まず、図３（ａ）に示すとおり、クロッチ域１５を大腿部３１，３２間に配置し、前ウエスト域１３を大腿部３１，３２上、後ウエスト域１４を大腿部３１，３２下側にそれぞれ配置して、ファスニング手段１２ｂによって第１側縁部１３ｂと第２側縁部１４ｂとを係合させた後、右手で前ウエスト域１３の上端縁部近傍を掴んで左へ引っ張るとともに、大腿部３１，３２の下側において左手で後ウエスト域１４の第２側縁部１４ａを掴んで左へ引っ張る。次に、図３（ｂ）に示すとおり、前ウエスト域１３を引っ張った状態のまま着用者の大腿部３１上で該域１３を右手で押さえて固定し、第２側縁部１４ａを大腿部３１の下側から引っ張り上げて、大腿部３１の側面で第１側縁部１３ａに重ね合わせ、第１ファスニング要素２５の上方部２５ａと下方部２５ｂとをそれぞれ順次第２ファスニング要素２７に係合させて、おむつ１０をパンツ型の形態に組み立てる。
【００２５】
このとき、着用者がズボン等の衣服３３を足元に下ろしたまま椅子等に座っている場合には、両足を揃えることができないので、自然と大腿部３１，３２どうしが離間し、大腿部周りの幅寸法Ｗ１が着用者のウエスト周りの幅寸法Ｗ２よりも大きくなる。また、幅寸法Ｗ１は、図４に示すように、着用者が直立した状態でおむつ１１０を着用させるときの大腿部周りの幅寸法Ｗ３よりも大きくなる。
【００２６】
すなわち、おむつ１０には、全体として横方向Ｘへ引っ張る力が作用して、想定していた幅（ウエスト周りの幅寸法Ｗ２）よりも伸長されるので、最初に連結されたファスニング手段１２ｂの第１ファスニング要素２６と第２ファスニング要素２８との係合面に、直立した着用者におむつ１０を着用させる場合に比べて、より大きなそれを剪断しようとする力が作用する。よって、ファスニング手段１２ａ，１２ｂの剪断係合強度が低い場合には、ファニング手段１２ａを連結するときに、ファスニング手段１２ｂの係合が外れてしまい、スムーズに着用作業をすることができなくなるおそれがある。
【００２７】
そこで、本発明のファスニング手段１２ａ,１２ｂでは、このようにおむつ１０が横方向Ｘへ引っ張られた場合であっても、着用操作中にその係合が外れることのないように、一定以上の剪断係合強度を有している。
【００２８】
具体的には、かかる目的を達成するために、第１ファスニング要素と前記第２ファスニング要素との係合による剪断応力が５Ｎ／ｃｍ２以上であり、かつ、ファスニング手段１２ａ，１２ｂの剪断係合強度は６０Ｎ以上であることが好ましい。ファスニング手段１２ａ，１２ｂの剪断係合強度が６０Ｎ以下の場合には、座位姿勢にある着用者におむつ１０を着用させるときに、最初に連結されるファスニング手段１２ｂまたは／および次に連結されるファスニング手段１２ａの係合が外れてしまうおそれがあるからである。
【００２９】
ファスニング手段１２ａ，１２ｂの剪断応力の測定方法は、以下のとおりである。
【００３０】
まず、第１ファスニング要素２５，２６と第２ファスニング要素２７，２８とに使用するフック要素とループ要素を用いて、フック要素を幅２５ｍｍ、長さ２０ｍｍ、ループ要素を幅５０ｍｍ、長さ５０ｍｍの大きさにそれぞれカットして、フック要素がループ要素と対向するようにループ要素の略中央域上にフック要素を配置する。次に、これらの部材の上から重量２ｋｇの圧着ローラを１往復させて、フック要素とループ要素とを係合させて、ループ要素のフック要素と係合していない側の面（フックバッキング）を両面テープを介してステンレス板に固定し、フック要素のループ要素と係合していない側の面（ループバッキング）を粘着テープを介して非伸縮性の引張用紙片に固定して、ステンレス板の一端部と、該端部と対向する引張用紙片の端部とをそれぞれ引張試験機のチャックに装填する。チャック間に装填されたステンレス板と引張用紙片とを移動速度１０ｍｍ／ｍｉｎで、互いに反対方向へ、すなわちフック要素とループ要素との係合面を剪断する方向へ引っ張り、係合が外れる瞬間の値（最大荷重値）を剪断係合強度の値とする。
【００３１】
既述のとおり、前後ウエスト域１３，１４には、第１及び第２ウエスト弾性要素２２，２４が配置されているので、前後ウエスト域１３，１４は伸長性を有しており、座位姿勢にある着用者におむつ１０を着用する際に、比較的容易に前後ウエスト域１３，１４を横に引っ張ることができる。また、着用操作をより容易にするために、前後ウエスト域１３，１４のうちの後ウエスト域１４にのみ伸長性を付与してもよいし、後ウエスト域１４を前ウエスト域１３よりも大きく形成してもよい。後ウエスト域１４にのみ伸長性が付与され、かつ、前ウエスト域１３よりも大きく形成された場合には、着用操作において、前ウエスト域１３を伸長する必要がないので、最初に連結したファスニング手段１２ｂの係合面に掛かる剪断力を抑制することができる。
【００３２】
おむつ１０の着用時において、前後ウエスト域１３，１４を十分に伸長するためには、第１及び第２ウエスト弾性要素２２，２４の伸長倍率が２．０〜４．０倍であることが好ましい。また、おむつ１０の着用操作を容易とするために、第１及び第２ウエスト弾性要素２２，２４は、この種のおむつに用いられる通常のウエスト弾性要素に比べて伸長倍率が高く、伸長応力が低いものであることが好ましい。この場合には、前後ウエスト域１３，１４を十分に伸長することができるとともに、その収縮によるファスニング手段１２ａ，１２ｂに掛かる剪断力を低減することができるからである。さらに、この種のおむつでは公知ではあるが、ウエスト開口縁部１６ａに位置する第１ウエスト弾性要素２２が、前後ウエスト域１３，１４の着用者の身体へのフィット性を目的とする第２ウエスト弾性要素２４よりも伸長倍率及び伸長応力が高いものであることが好ましい。
【００３３】
本実施形態では、おむつ１０は、主として吸液機能を有するコア２０が内外面シート１８，１９に介在してなるシャーシ１１から形成されているが、シート部材からなるシャーシ１１と、シャーシ１１と別体のコア２０を有するパッド状の吸液性構造体とから形成されていてもよい。この場合には、吸液性構造体をその前後端部及び側縁部の一部においてのみシャーシ１１の内面に取り付けることによって、第２ウエスト弾性要素２４の収縮が比較的に剛性の高いコア２０の存在によって阻害されることがないので、より一層その収縮作用を発揮することができ、おむつ１０の着用時における前後ウエスト域１３，１４を容易に伸長することができる。
【図面の簡単な説明】
【００３４】
【図１】使い捨ておむつの斜視図。
【図２】同上の部分破断展開図。
【図３】（ａ）（ｂ）着用者が椅子等に座っている状態におけるおむつの着用手順を示す図。
【図４】着用者が直立した状態で従来のおむつを着用させるときの状態を示す図。
【符号の説明】
【００３５】
１０              使い捨ておむつ（着用物品）
１１              シャーシ
１２ａ，１２ｂ    ファスニング手段
１３              前ウエスト域
１３ａ，１３ｂ    第１側縁部
１４              後ウエスト域
１４ａ，１４ｂ    第２側縁部
１５              クロッチ域
１６              ウエスト開口
１７              レッグ開口
２５，２６        第１ファスニング要素
２５ａ，２６ａ    上方部
２５ｂ，２６ｂ    下方部
２７，２８        第２ファスニング要素
２９ａ，２９ｂ    支持部材
３０              離間部
Ｘ                横方向
Ｙ                縦方向
【図１】
0005394657.tif 000002
【図２】
0005394657.tif 000003
【図３】
0005394657.tif 000004
【図４】
0005394657.tif 000005